(57)【特許請求の範囲】
【請求項１】
長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成され、前記仮止め連結手段の係合部と係合受け部には、係合状態で連通する取付け孔が形成されている貫通孔閉塞治具。
【請求項２】
長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成され、前記仮止め連結手段の係合受け部には、係合部との係合に連れて両者の軸芯が合致する方向に移動案内するガイド部が形成されている貫通孔閉塞治具。
【請求項３】
長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成され、前記仮止め連結手段には、係合受け部に対する係合部の係脱を許容する状態で、係合受け部に係合された係合部の抜出し移動を牽制する抜止め弾性体が設けられている貫通孔閉塞治具。
【請求項４】
前記両分割保持枠体の連結方向で相対向する両端部に亘って、連結方向から抜差し操作自在に係合される補助係止部と補助係止受け部とが設けられている請求項１〜３のいずれか１項に記載の貫通孔閉塞治具。
【請求項５】
前記各分割保持枠体には、構造体の貫通孔周縁に当接させることにより、環状保持枠の中心位置と貫通孔の中心位置との位置合せを行なう取付け位置規制体が設けられている請求項１〜４のいずれか１項に記載の貫通孔閉塞治具。
【発明の詳細な説明】
【０００１】
【発明の属する技術分野】
本発明は、配管などの長尺物を挿通させるために壁や床に形成された貫通孔を、長尺物を挿通状態のまま耐熱性充填材を介して閉塞する貫通孔閉塞治具に関する。
【０００２】
【従来の技術】
空調用の冷媒用配管等は、建屋の屋根裏や天井裏などを利用して配設されているのが一般的であり、配設途中に壁や床を通過させることは、配管施工においては普通に行なわれている。
コンクリート躯体からなる建屋などの場合、壁や床に形成してある貫通孔を利用して、配管の配設が行なわれているが、このような配管が挿通される貫通孔部分には、防災上の定めによって閉塞して防火区画する必要があり、現実には、配管を挿通した状態のまま、貫通孔を閉塞する貫通孔閉塞治具といったものを用いておこなわれている。
従来、この種の貫通孔閉塞治具１００としては、例えば、図１７に示すように、予めコンクリート躯体である縦壁Ｂなどに形成された貫通孔１に、配管Ｃなどを挿通した後、鋼板を折り曲げ形成した一対の半割枠体１０１，１０１を、配管Ｃの左右方向から付き合せるとともに貫通孔１の外側面Ｂ１に固定して、各半割枠体１０１，１０１の内周面と配管Ｃの外周面との間に防火用パテ１０２を充填して貫通孔１を閉塞することで、壁内外を防火区画することができるものが存在している。
そして、このような貫通孔閉塞治具１００においては、半割枠体１０１，１０１をほぼ正確に突合せるようにした状態で、各半割枠体１０１，１０１に一体に設けられているネジ受け部１０３，１０３が上下に重なり合うようになっており、この重なったネジ受け部１０３，１０３からコンクリートネジＫを貫通孔１の外側面Ｂ１に螺入することによって、貫通孔１の外側面Ｂ１に各半割枠体１０１，１０１を取付け固定することができるようになっている。
【０００３】
【発明が解決しようとする課題】
ところが、貫通孔１の外側面に半割枠体１０１，１０１を突合せする作業は両手を使って行われ、続いて、付き合わされた半割枠体１０１，１０１を貫通孔１の外側面Ｂ１に固定するには、一方の手のひらで半割枠体１０１，１０１の突合せ状態が崩れないように保持しながら、これに加えて、指先でコンクリートネジＫを螺入可能状態にできるようにネジ受け部１０３近くでガイドし、他方の手で電動ドライバーなどを用いてコンクリートネジＫを螺入操作すると言った取付け作業が必要である。
そのため、手先が器用でなければ実施出来ないような取付け作業が必要であり、作業性が悪い問題がある。特に、天井裏の仕切り壁などの配管を挿通する貫通孔部分を貫通孔閉塞治具で閉塞するような場合、天井窓から天井裏を覗き込むような高所作業となることが多いため、作業形態としては顔が上向き姿勢で両手が常に持上げ姿勢となるような作業姿勢となり、作業性の悪さが重なる点が指摘されている。
【０００４】
本発明は、上述の実状に鑑みて為されたものであって、その主たる課題は、取扱い性がよく、しかも、取付け作業性の良好な貫通孔閉塞治具を提供する点にある。
【０００５】
【課題を解決するための手段】
長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成されている。
【０００６】
上記構成によれば、仮止め連結手段によって両分割保持枠体を係合連結して環状保持枠を形成することによって、一纏まりに両分割保持枠体が仮止めされた状態を形成することができ、従来の貫通孔閉塞治具に比べて、環状保持枠が勝手に分解するようなことがないので、取扱い性がよく、縦壁の配管挿通部に取付ける場合であっても、環状保持枠の何れかの部分を片手で添える程度で全体を保持することができ、この保持状態で簡単に貫通孔の外側面に環状保持枠を取付け可能にできる。
しかも、貫通孔から突出する長尺物に対して、該長尺物を中心に構造体の外側面に沿った左右方向から分割保持体を突き合わせて、係合部と係合受け部とを係合して両仮止め連結手段を仮止め状態にして、貫通孔から突出する部分の長尺物を外装可能にすることも、或は、予めに、一方の仮止め連結手段の係合部と係合受け部とを係合して、この仮止め連結手段を回動中心として、両分割保持枠体を逆ハの字形に開いた中央に長尺物を位置させるとともに、構造体の外側面に沿って他方の仮止め連結手段を係合操作して、両仮止め連結手段を仮止め状態にすることにより、貫通孔から突出する部分の長尺物を外装可能にすることもできる。
従って、貫通孔の状況や、貫通孔から突出する長尺物の状況等、施工現場の現状に合わせて、分割保持枠体同士を仮止め状態にする作業操作を選択することができるので、取付け作業性を著しく向上させることができる。
【０００７】
前記仮止め連結手段には、係合受け部に対する係合部の係脱を許容する状態で、係合受け部に係合された係合部の抜出し移動を牽制する抜止め弾性体が設けられている。
【０００８】
上記構成によれば、係合部と係合受け部とが係合状態になると、抜止め弾性体が背後から係合状態を支持して、係合状態が解除されるのが牽制され、仮止め状態の維持力を強くすることができるので、仮止め状態が簡単に崩壊してしまうようなことがないので、作業操作性がよく、迅速な施工を可能にすることができる。
【０００９】
前記仮止め連結手段の係合部と係合受け部には、係合状態で連通する取付け孔が形成されている。
【００１０】
上記構成によれば、分割保持枠体同士の仮止め部分を利用して取付け孔を形成すると言った、係合部と係合受け部とを取付け孔の形成部分として付加価値利用する構成であるので、本来ならば、仮止め連結手段を設けるのとは別に、構造体の外側面に対する取付け部を各分割保持枠体に設けなければならないところを、部材の兼用利用をおこなって部材の削減化と、取扱い性の向上を図ることができる。
【００１１】
前記仮止め連結手段の係合受け部には、係合部との係合に連れて両者の軸芯が合致する方向に移動案内するガイド部が形成されている。
【００１２】
上記構成によれば、ガイド部があることによって、仮止め連結手段の係合部と係合受け部との軸芯が自然と合致する係合状態になるようにすることができるので、均整のとれた環状保持枠を迅速に形成することができるとともに、仮止め連結手段を回動中心に利用する場合には、係合とほぼ同時に回動中心として利用することができ、操作性を良好にすることができる。
そして、本発明の請求項１による貫通孔閉塞治具の特徴構成は、長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成され、前記仮止め連結手段の係合部と係合受け部には、係合状態で連通する取付け孔が形成されている点にある。
本発明の請求項２による貫通孔閉塞治具の特徴構成は、長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成され、前記仮止め連結手段の係合受け部には、係合部との係合に連れて両者の軸芯が合致する方向に移動案内するガイド部が形成されている点にある。
本発明の請求項３による貫通孔閉塞治具の特徴構成は、長尺物配設用の貫通孔が形成された構造体の外側面に対する取付け部を有し、かつ、貫通孔から突出する長尺物に外装可能な環状保持枠と、該環状保持枠の内周面と長尺物の外周面との間に貫通孔の開口を閉塞する状態で充填される耐熱性充填材とが備えられ、前記環状保持枠が、周方向で二分割された分割保持枠体から構成されている貫通孔閉塞治具であって、
前記両分割保持枠体の端部のうち、連結方向で相対向する両端部に亘って、構造体の外側面に沿った方向から係脱自在な係合部と係合受け部とを備えた仮止め連結手段が設けられているとともに、少なくとも一方の仮止め連結手段が、係合状態で両分割保持枠体を長尺物長手方向に沿った軸芯周りで相対回動自在に構成され、前記仮止め連結手段には、係合受け部に対する係合部の係脱を許容する状態で、係合受け部に係合された係合部の抜出し移動を牽制する抜止め弾性体が設けられている点にある。
本発明の請求項４による貫通孔閉塞治具の特徴構成は、前記両分割保持枠体の連結方向で相対向する両端部に亘って、連結方向から抜差し操作自在に係合される補助係止部と補助係止受け部とが設けられている点にある。
【００１３】
本発明の請求項５による貫通孔閉塞治具の特徴構成は、前記各分割保持枠体には、構造体の貫通孔周縁に当接させることにより、環状保持枠の中心位置と貫通孔の中心位置との位置合せを行なう取付け位置規制体が設けられている点にある。
【００１４】
上記特徴構成によれば、仮止め状態となった環状保持枠体を、構造体に形成された貫通孔周縁に、取付け位置規制体を臨ませて当接させることによって、貫通孔の中心位置と、環状保持枠の中心位置とがほぼ合致する状態にすることができるので、例えば、貫通孔の中心位置と環状保持枠の中心位置とを全周に亘って何度も目視確認しながら行われているような位置あわせする作業を軽減することができるとともに、取付け位置規制体を貫通孔周縁に当接させる感触によって大体の位置関係がわかるので、例えば、目視が難しい取付け現場であっても、取付け作業を感触によって施工を補佐することができ、信頼性の高い施工を実施することができる。
【００１５】
【発明の実施の形態】
〔実施形態〕
以下、本発明の実施形態の貫通孔閉塞治具Ａを図面に基づいて説明する。
この実施形態の貫通孔閉塞治具Ａは、コンクリート躯体などの構造体からなる天井裏の仕切り壁Ｂに形成されているとともに、長尺物の一例である冷房断熱配管Ｃ等が挿通されている貫通孔１に対して取付施工することができるように構成されたものである。図面上には、空調冷媒用の被覆ガス管、被覆液管、ケーブル等を一組にした管径が異なる２組の配管Ｃ…を貫通孔１に挿通する例を示している。
【００１６】
この貫通孔閉塞治具Ａは、図１〜図９に示すように、貫通孔１の外側面Ｂ１に対する取付け部２を有し、かつ、貫通孔１から突出する長尺物Ｃに外装可能な環状保持枠３と、該環状保持枠３の内周面と長尺物Ｃの外周面との間に貫通孔１の開口１Ａを閉塞する状態で充填される耐熱性充填材４とが備えられ、前記環状保持枠３が、周方向で均等２分割された分割保持枠体３Ａ，３Ａから構成され、前記両分割保持枠体３Ａ，３Ａの端部のうち、連結方向で相対向する両端部に亘って、貫通孔１の外側面Ｂ１に沿った方向から係脱自在で、かつ、係合状態では長尺物Ｃ長手方向に沿った軸芯周りでの相対回動を許容する係合部５Ａと係合受け部５Ｂとを備えた仮止め連結手段５，５が設けられているとともに、前記両仮止め連結手段５，５の各々が、係合された一方の仮止め連結手段５を回動支点とする閉じ操作に連れて嵌合するように構成されている。
【００１７】
各分割保持枠体３Ａ，３Ａは、厚さが１ｍｍ程度の鋼板を用いて加工形成され、周面部３ａが半円形状の底端部３ｂから半割鍔状の先端部３ｃに向かうほど外径が減少する湾曲形状であり、仮止め連結手段の係合部５Ａと係合受け部５Ｂには、係合状態で連通するとともに、コンクリートネジＫを挿通支持するとともに貫通孔１の外側面Ｂ１への取付け部２が形成されている
【００１８】
各分割保持枠体３Ａ，３Ａの一端には、中央部に挿通孔２ａが形成された扁平係止リング５ａが固定され、他端には、中央部にすり鉢状に打ち抜き加工等で円錐状孔２ｂが下面側に向けて打出し形成された扁平係止受けリング５ｂが固定され、前記扁平係止リング５ａによって仮止め連結手段５の係合部５Ａが構成され、前記扁平係止受けリング５ｂによって、仮止め連結手段５の係合受け部５Ｂが構成され、両分割保持枠体３Ａ，３Ａが係合連結された状態では、係合部５Ａと係合受け部５Ｂとが嵌合するとともに、係合部５Ａが下側で係合受け部５Ｂが上側に重なり合う位置関係で取り付けられて取付け部２を構成する。係合部５Ａと係合受け部５Ｂとが重なり合う状態では、係合部５Ａの挿通孔２ａに係合受け部５Ｂの円錐状孔２ｂが嵌合するとともに、係合部５Ａと係合受け部５Ｂと軸芯が合致する構成になっている。両分割保持枠体３Ａ，３Ａが連結された状態では、係止部５Ａと係合受け部５Ｂとが係合状態になって、両分割保持枠体３Ａ，３Ａを仮止め状態にすることができる。
【００１９】
前記仮止め連結手段５の係合受け部５Ｂに形成された、下面側に突出する円錐状孔２ｂのテーパー外周面２ｃによって、係合部５Ａの挿通孔２ａとの係合に連れて両者５Ａ，５Ｂの軸芯が合致する方向に移動案内するガイド部６が構成されている。
【００２０】
前記取付け部２は、取付孔である係合部５Ａの挿通孔２ａと、取付孔である係合受け部５Ｂの円錐状孔２ｂとから構成され、両分割保持枠体３Ａ，３Ａが連結された状態で、両者２ａ、２ｂを通してコンクリートネジＫを貫通孔１の外側面Ｂ１に螺入することによって、両分割保持枠体３Ａ，３Ａが一体連結状態になることで形成される環状保持枠３を、貫通孔１の外側面Ｂ１に取り付けられるようになっている。
【００２１】
この実施形態の仮止め連結手段５，５には、係合受け部５Ｂに対する係合部５Ａの係脱を許容する状態で、係合受け部５Ｂに係合された係合部５Ａの抜出し移動を牽制する抜止め弾性体７が設けられている。
【００２２】
この抜止め弾性体７は、図１、図７、図８に示すように、各分割保持枠体３Ａ，３Ａの係合受け部５Ｂの下部に、対応する係合部５Ａを受け入れ可能に、かつ、受入れた係合部５Ａを背後から弾圧付勢するように、先端側ほど突出量が大きくなる傾斜状態に取付られたリン青銅などからなる弾性板材から構成されており、係合受け部５Ｂの下部に配備される抜止め部７Ａと、この抜止め部７Ａの基端側縁からほぼ直角に折り曲げ形成されているとともに、分割保持枠体３Ａの内周面にスポット溶接などによって固定されている取付部７Ｂとから構成されている。また、この抜止め弾性体７の抜止め部７Ａには、挿通孔７Ｃが穿設され、両分割保持枠体３Ａ，３Ａが連結された状態では、係合部５Ａと係合受け部５Ｂと抜止め部７Ａとが３層に重なる状態となるとともに、係合部５Ａの挿通孔２ａと、係合受け部５Ｂの円錐状孔２ｂと、抜止め部７Ａの挿通孔７Ｃの孔軸芯が合致するようになっており、これらの孔２ａ、２ｂ、７Ｃを通してコンクリートネジＫを貫通孔１の外側面Ｂ１に螺入することができる構成になっている。
【００２３】
各分割保持枠体３Ａ，３Ａの先端部３ｃの両端部分には、両分割保持枠体３Ａ，３Ａの連結方向で相対向する連結端部に、連結方向から抜差し操作自在に係合される補助係止部８Ａと補助係止受け部８Ｂとが設けられており，この実施形態において、一方の補助係止部８Ａは、舌片８ａに係止凸部８ｂを設けて構成され、他方の補助係止受け部８Ｂは、先端部３ｃに穿設された係止孔８ｃから構成されている。両分割保持枠体３Ａ，３Ａを仮止め状態にすることに追従して、係止孔８ｃに係止凸部８ｂが係入して係止部８Ａと受け部８Ｂとが係合状態となる。
【００２４】
また、各分割保持枠体３Ａ，３Ａの周面部３ａの両端部分には、コンクリートネジＫを取付け部２に臨ませやすくするための凹設部３ｄが一体形成されている。
【００２５】
耐熱性充填材４としては、火災時の燃焼加熱によって体積比が４倍以上に膨張するパテ状で手作業で取扱いが可能な公地のものが用いられている。また、この耐熱性充填材４は、予め各分割保持枠体３Ａ，３Ａの内側に充填装着しておくと、作業性がよい。
【００２６】
このような構成であれば、仕切り壁Ｂなどに形成された貫通孔１に、複数の配管Ｃ…が挿通状態に配設された段階で、例えば、下記▲１▼から▲３▼の何れかの作業操作によって、２分割された分割保持枠体３Ａ，３Ａを、貫通孔１から突出する配管Ｃに仮止め状態で外装する。
【００２７】
▲１▼  図３に示すように、貫通孔１から突出する配管Ｃに対して、左右方向から分割保持枠体３Ａ，３Ａを突き合わせて両者を仮止め状態にした環状保持枠３で配管Ｃを外装する
。
【００２８】
▲２▼  図４に示すように、貫通孔１から突出する配管Ｃに対して、両分割保持枠体３Ａ，３Ａの一方の仮止め連結手段５の係合部５Ａと係合受け部５Ｂとを係合して、この仮止め連結手段５を回動中心として、両分割保持枠体３Ａ，３Ａを逆ハの字形に開いた中央に長尺物Ｃ…を位置させるとともに、貫通孔１の外側面Ｂ１に沿って他方の仮止め連結手段５を係合操作して、両仮止め連結手段５を仮止め状態にすることにより、貫通孔１から突出する部分の長尺物Ｃ…を外装にする。
【００２９】
▲３▼  図５に示すように、貫通孔１から突出する配管Ｃに対して、両分割保持枠体３Ａ，３Ａの他方の仮止め連結手段５の係合部５Ａと係合受け部５Ｂとを係合して、この仮止め連結手段５を回動中心として、両分割保持枠体３Ａ，３Ａをハの字形に開いた中央に長尺物Ｃ…を位置させるとともに、貫通孔１の外側面Ｂ１に沿って一方の仮止め連結手段５を係合操作して、両仮止め連結手段５を仮止め状態にすることにより、貫通孔１から突出する部分の長尺物Ｃ…を外装にする。
【００３０】
次いで、図９に示すように、環状保持枠３…の取付け部２，２にコンクリートネジＫ…を介して貫通孔１の外側面Ｂ１に螺入して、環状保持枠３を貫通孔１の外側面Ｂ１に取付け固定する。
【００３１】
次いで、環状保持枠体３の内周面と配管Ｃ…の外周面との間に、耐熱性充填材４を充填して貫通孔閉塞治具Ａの施工を完了する。
【００３２】
〔その他の実施形態〕
１）  上記実施形態では、両分割保持枠体３Ａ，３Ａの端部のうち、連結方向で相対向する両端部に亘って、貫通孔１の外側面Ｂ１に沿った方向から係脱自在な係合部５Ａと係合受け部５Ｂとを備えた仮止め連結手段５，５が設けられているとともに、両方の仮止め連結手段５，５が、係合状態で両分割保持枠体３Ａ，３Ａを長尺物Ｃ長手方向に沿った軸芯周りで相対回動自在に構成されている例を説明したが、本発明はこれに限らず、少なくとも一方の仮止め連結手段５が、係合状態で両分割保持枠体３Ａ，３Ａを長尺物Ｃ長手方向に沿った軸芯周りで相対回動自在に構成されているものであってもよい。
この場合、他端の仮止め連結手段５を構成する係合部５Ａと係合受け部５Ｂとには、両者間に相対回動機能のない、凹凸係合、弾性係合、 電磁誘導作用による磁気係合等の係合構成を用いる。
【００３３】
２）  上記実施形態において、両分割保持枠体３Ａ，３Ａが係合連結された状態では、図７、図８で係合部５Ａが下側で係合受け部５Ｂが上側に重なり合う位置関係になるものについて説明したが、本発明はこれに限らず、これらが上下逆の関係に構成されたものであってもよい。
具体的な例として、図１０、図１１に示すように、各分割保持枠体３Ａ，３Ａの一端には、中央部に挿通孔２ａが形成された係合部５Ａである扁平係止リング５ａが固定され、他端には、中央部にすり鉢状の円錐状孔２ｂが上面側に向けて打出し形成された係合受け部５Ｂである扁平係止受けリング５ｂが固定され、両分割保持枠体３Ａ，３Ａが係合連結された状態において、係合部５Ａが上側で係合受け部５Ｂが下側に重なり合う位置関係で取り付けられているとともに、この別実施形態では、係合受け部５Ｂに対する係合部５Ａの係脱を許容する状態で、係合受け部５Ｂに係合された係合部５Ａの抜出し移動を牽制する抜止め弾性体７が、係合受け部５Ｂの上部に配備する構成のものを開示する。
【００３４】
この実施形態の場合、図１２に示すように、係合部５Ａの挿通孔２ａと、係合受け部５Ｂの円錐状孔２ｂと、抜止め部７Ａの挿通孔７Ｃを通してコンクリートネジＫを貫通孔１の外側面Ｂ１に螺入して、環状保持枠３を貫通孔１の外側面Ｂ１に取付ることができる。
また、図１３に示すように、床などに形成された貫通孔１の外側面Ｂ１に対して、環状保持枠３を載置するだけでよいような場合、タップネジ９を円錐状孔２ｂに螺合して、抜止め部７Ａと係合部５Ａと係合受け部５Ｂとを共締め状態に連結して、一対の分割保持枠体３Ａ，３Ａを仮止め状態から一体連結状態にすることができる。
【００３５】
３）  上記各実施形態では、円錐状孔２ｂのテーパー外周面６ｃによって、係合部５Ａとの係合に連れて両者５Ａ，５Ｂの軸芯が合致する方向に移動案内するガイド部６が構成されている例を説明したが、これに限らず、図１４、図１５に示すように、係合受け部５Ｂの挿通孔に図面上で下側からハトメ１０を打って、このハトメ１０の断面半円形状の頭１０Ａをガイド部６に構成してもよく、係合部５Ａの挿通孔２ａとの係合に連れて両者５Ａ，５Ｂの軸芯が合致する方向に移動案内することが可能である。この場合、ガイド部６を簡単に形成することができる。また、ハトメ１０には、筒孔１０Ｂが形成されているので、この筒孔１０Ｂをネジ挿通孔としても兼用する取付け部２を構成する。
【００３６】
４）  図１６に示すように、壁Ｂの貫通孔１周縁に、仮止め状態に係合連結されている環状保持枠３を、貫通孔１の外側面Ｂ１に沿って動かして，貫通孔１内に臨む先端の折り曲げ傾斜部１１Ａを当接させることにより、その当接の感触によって環状保持枠の中心位置と貫通孔の中心位置との位置合せを行なう取付け位置規制体１１、１１を、各分割保持枠体３Ａ，３Ａの内面側に全周箇所又は複数箇所に設けてもよい。
【００３７】
５）  上記実施形態では、構造体がコンクリート躯体からなる壁Ｂの貫通孔１に施工する例を説明したが、構造体がコンクリート躯体からなる床の貫通孔１に施工する例であってもよい。
また、上記実施形態では、貫通孔１の片側の開口側に本発明の貫通孔閉塞治具Ａを取付け固定した例を説明したが、貫通孔１の両側の開口側に本発明の貫通孔閉塞治具Ａ，Ａを取付け固定するものであってもよい。
【００３８】
６）  上記実施形態では、取付け部２を、仮止め連結手段５部分に設けた例を説明したが、これに限らず、例えば、各分割保持枠体３Ａ、３Ａの底端部３ｂ，３ｂの適宜部分に外方に向けてネジ孔を穿設したネジ受け部を一体に設けて取付け部２を構成するものであってもよい。
【図面の簡単な説明】
【図１】本発明を適用した実施形態の貫通孔閉塞治具を示す分解斜視図
【図２】貫通孔閉塞治具を貫通孔の外側面に取付けた状態を示す斜視図
【図３】長尺物を分割保持枠体で外装する直前の状態を示す簡略正面図
【図４】長尺物を分割保持枠体で外装する直前の状態を示す簡略正面図
【図５】長尺物を分割保持枠体で外装する直前の状態を示す簡略正面図
【図６】一対の分割保持枠体を付き合わせた状態を示す簡略正面図
【図７】仮止め連結手段を連結前の状態を示す要部断面図
【図８】仮止め連結手段で分割保持枠体を仮止め状態にした状態を示す要部断面図
【図９】環状保持枠が貫通孔の外側面に取付けられた状態を示す縦断面図
【図１０】別実施形態の仮止め連結手段における連結前の状態を示す要部断面図
【図１１】仮止め連結手段で分割保持枠体を仮止め状態にした状態を示す要部断面図
【図１２】分割保持枠体を構造体に取付けられた状態を示す要部断面図
【図１３】分割保持枠体を構造体に載置した状態を示す要部断面図
【図１４】別実施形態のガイド部を連結前の状態で示す要部断面図
【図１５】仮止め状態にした状態を示す要部断面図
【図１６】取付け位置規制体の一例を示す要部断面図
【図１７】従来の貫通孔閉塞治具を示す要部斜視図
【符号の説明】
Ａ                貫通孔閉塞治具
Ｂ                構造体（壁）
Ｂ１              外側面
Ｃ                長尺物（配管）
１                貫通孔
２                取付け部
３                環状保持枠
４                耐熱性充填材
５                仮止め連結手段
５Ａ              係合部
５Ｂ              係合受け部
６                ガイド部
７                抜止め弾性体
１１              取付け位置規制体
【図１】
0004778161.tif 000002
【図２】
0004778161.tif 000003
【図３】
0004778161.tif 000004
【図４】
0004778161.tif 000005
【図５】
0004778161.tif 000006
【図６】
0004778161.tif 000007
【図７】
0004778161.tif 000008
【図８】
0004778161.tif 000009
【図９】
0004778161.tif 000010
【図１０】
0004778161.tif 000011
【図１１】
0004778161.tif 000012
【図１２】
0004778161.tif 000013
【図１３】
0004778161.tif 000014
【図１４】
0004778161.tif 000015
【図１５】
0004778161.tif 000016
【図１６】
0004778161.tif 000017
【図１７】
0004778161.tif 000018